(57)【要約】【課題】混色を抑えつつ高い輝度の画像を表示する。【解決手段】プロジェクター１は、Ｒ色の光とＢ色の光とを時分割で発光する第１光源１０と、Ｇ色の光を発光する第２光源２０と、第１光源１０の光が入射し、Ｒ色の画像信号ＶｒとＢ色の画像信号Ｖｂとが時分割多重した第１画像信号Ｖ１が供給される第１液晶パネル１００と、第２光源２０の光が入射し、Ｇ色の第２画像信号Ｖ２が供給される第２液晶パネル２００と、光学系３０とを備え、第１液晶パネル１００の垂直解像度は、第２液晶パネル２００の垂直解像度より低い。【選択図】図２
2013041015.tif 000002
【特許請求の範囲】
【請求項１】
第１色の光と第２色の光とを時分割で発光する第１光源と、
第３色の光を発光する第２光源と、
前記第１光源の光が入射し、前記第１色の画像の輝度に応じた画像信号と前記第２色の画像の輝度に応じた画像信号とが時分割で書き込まれる第１液晶パネルと、
前記第２光源の光が入射し、前記第３色の画像の輝度に応じた画像信号が書き込まれる第２液晶パネルと、
前記第１液晶パネルを透過した光と前記第２液晶パネルを透過した光とを合成して出力する光学手段と、
前記第１液晶パネルの画像の垂直解像度は、前記第２液晶パネルの垂直解像度より低い、
ことを特徴とするプロジェクター。
【請求項２】
前記第１液晶パネルを駆動する第１駆動回路を備え、
第１書込期間において、前記第１駆動回路は前記第１色に対応する画像信号を前記第１液晶パネルに書き込み、
前記第１発光期間において、前記第１光源は前記第１色の光を発光し、
第２書込期間において、前記第１駆動回路は前記第２色に対応する画像信号を前記第１液晶パネルに書き込み、
前記第２書込期間の後に始まる第２発光期間において、前記第１光源は前記第２色の光を発光する、
ことを特徴とする請求項１に記載のプロジェクター。
【請求項３】
前記第２液晶パネルを駆動する第２駆動回路を備え、
前記第１液晶パネルと前記第２液晶パネルとの各々は、複数の走査線と、複数のデータ線と、前記走査線と前記データ線との交差に対応して設けられた複数の画素とを備え、
前記第１駆動回路は、前記第１書込期間及び前記第２書込期間において、単位期間ごとにｋ（ｋは２以上の自然数）本の走査線を同時に選択して、表示すべき輝度に応じた画像信号を選択したｋ本の走査線に対応する画素に書き込み、
前記第２駆動回路は、前記第２液晶パネルにおいて、単位期間ごとに１本の走査線を順次選択して、画像信号を選択した１本の走査線に対応する画素に書き込む、
ことを特徴とする請求項２に記載のプロジェクター。
【請求項４】
前記第１液晶パネルと前記第２液晶パネルとの各々は、複数の走査線と、複数のデータ線と、前記走査線と前記データ線との交差に対応して設けられた複数の画素とを備え、
前記第１液晶パネルの走査線の本数は、前記第２液晶パネルの走査線の本数より少ない、
ことを特徴とする請求項２に記載のプロジェクター。
【請求項５】
前記第１色はＲ色又はＢ色の一方であり、前記第２色はＲ色又はＢ色の他方であり、前記第３色はＧ色であることを特徴とする請求項１乃至４のうちいずれか１項に記載のプロジェクター。
【発明の詳細な説明】
【技術分野】
【０００１】
本発明は、２つのライトバルブを備えたプロジェクターに関する。
【背景技術】
【０００２】
近年、大画面をスクリーンに表示する投射型表示装置としてプロジェクターが普及している。プロジェクターには、赤色（Ｒ色）、青色（Ｂ色）、及び緑色（Ｇ色）の各々に対応する光源及びライトバルブを備えるものがある。さらに、Ｇ色光源に対応するライトバブルと、Ｒ色光源とＢ色光源とを時分割に発光させ、これらに対応するライトバブルとを備えた２板式のプロジェクターが知られている（特許文献１参照）。
２板式のプロジェクターは、ライトバルブ数を減らすことができるといった利点がある。
【先行技術文献】
【特許文献】
【０００３】
【特許文献１】特開２００８−２９２５４７号公報
【発明の概要】
【発明が解決しようとする課題】
【０００４】
ところで、２板式のプロジェクターでは、一方のライトバルブをＲ色とＢ色とで時分割で動作させ、これに同期してＲ色光源とＢ色光源とを発光させる必要がある。ライトバルブとして用いられる液晶パネルに各色の画像を書き込むためには、複数の走査線を順次走査する必要があり、さらに、書き込みが終了した後、書き込まれた色の画像に対応する光源を点灯させる必要がある。高い輝度を得ようとすれば、光源の発光期間を長くする必要がある。しかし、Ｒ色の画像とＢ色の画像の一方を書き込んでいる途中から他方の色の光源を点灯させると、混色が発生し画質が劣化する。
すなわち、輝度の向上と混色とはトレードオフの関係にあり、従来の２板式のプロジェクターでは、これらを同時に改善することはできないといった問題があった。
本発明は、上述した事情に鑑みてなされたものであり、混色を抑えつつ、輝度を高めることが可能なプロジェクターを提供することを解決課題とする。
【課題を解決するための手段】
【０００５】
この課題を解決するために、本発明に係るプロジェクターは、第１色の光と第２色の光とを時分割で発光する第１光源と、第３色の光を発光する第２光源と、前記第１光源の光が入射し、前記第１色の画像の輝度に応じた画像信号と前記第２色の画像の輝度に応じた画像信号とが時分割で書き込まれる第１液晶パネルと、前記第２光源の光が入射し、前記第３色の画像の輝度に応じた画像信号が書き込まれる第２液晶パネルと、前記第１液晶パネルを透過した光と前記第２液晶パネルを透過した光とを合成して出力する光学手段と、前記第１液晶パネルの画像の垂直解像度は、前記第２液晶パネルの垂直解像度より低い、ことを特徴とする。
【０００６】
この発明によれば、時分割で画像信号が書き込まれる第１液晶パネルの垂直解像度は、第２液晶パネルに比較して低いので、短時間で第１色の画像信号と第２色の画像信号とを書き込むことができる。第１色と第２色との混色を低減するためには、表示すべき色の画像信号が書き込まれた後に、対応する色の光を発光させる必要があるところ、画像信号の書き込みに要する時間を短くできるので、発光期間を長くすることができる。よって、混色を抑えつつ、高い輝度の画像を表示することが可能となる。
【０００７】
上述したプロジェクターは、前記第１液晶パネルを駆動する第１駆動回路を備え、第１書込期間において、前記第１駆動回路は前記第１色に対応する画像信号を前記第１液晶パネルに書き込み、前記第１書込期間の後に始まる第１発光期間において、前記第１光源は前記第１色の光を発光し、第２書込期間において、前記第１駆動回路は前記第２色に対応する画像信号を前記第１液晶パネルに書き込み、前記第２書込期間の後に始まる第２発光期間において、前記第１光源は前記第２色の光を発光することが好ましい。この発明によれば、各色の画像信号が書き込まれた後に対応する色の光を第１液晶パネルに照射することができるので、混色を抑制することが可能となる。
【０００８】
上述したプロジェクターは、前記第２液晶パネルを駆動する第２駆動回路を備え、前記第１液晶パネルと前記第２液晶パネルとの各々は、複数の走査線と、複数のデータ線と、前記走査線と前記データ線との交差に対応して設けられた複数の画素とを備え、前記第１駆動回路は、前記第１書込期間及び前記第２書込期間において、単位期間ごとにｋ（ｋは２以上の自然数）本の走査線を同時に選択して、表示すべき輝度に応じた画像信号を選択したｋ本の走査線に対応する画素に書き込み、前記第２駆動回路は、前記第２液晶パネルにおいて、単位期間ごとに１本の走査線を順次選択して、画像信号を選択した１本の走査線に対応する画素に書き込むことが好ましい。
この発明によれば、第２液晶パネルにおいては、ｋ本の走査線を同時に選択するので、１本の走査線を順次選択する第１液晶パネルに比較して、垂直解像度を低下させることができる。この結果、画像信号の書き込みに要する時間を短くして、発光期間を長くすることができる。よって、混色を抑えつつ、高い輝度の画像を表示することが可能となる。
【０００９】
上述したプロジェクターは、前記第１液晶パネルと前記第２液晶パネルとの各々は、複数の走査線と、複数のデータ線と、前記走査線と前記データ線との交差に対応して設けられた複数の画素とを備え、前記第１液晶パネルの走査線の本数は、前記第２液晶パネルの走査線の本数より少ないことが好ましい。この発明によれば、第２液晶パネルの走査線の本数は第１液晶パネルよりも少ないので、画像信号の書き込みに要する時間を短くして、発光期間を長くすることができる。よって、混色を抑えつつ、高い輝度の画像を表示することが可能となる。
【００１０】
上述したプロジェクターにおいて、前記第１色はＲ色又はＢ色の一方であり、前記第２色はＲ色又はＢ色の他方であり、前記第３色はＧ色であることが好ましい。人の視感度はＧ色と比較してＲ色及びＢ色が低いから、この発明によれば、第１液晶パネルの垂直解像度が第２液晶パネルよりも低くても、人が感じる垂直解像度の低下及び混色を抑えつつ、高い輝度の画像を表示することが可能となる。
【図面の簡単な説明】
【００１１】
【図１】実施形態に係るプロジェクターの機械的な構成を示すブロック図である。
【図２】実施形態に係るプロジェクターの電気的な構成を示すブロック図である。
【図３】第１液晶パネルの電気的な構成を示すブロック図である。
【図４】画素の構成を示す回路図である。
【図５】実施形態に係るプロジェクターの動作を示すタイミングチャートである。
【図６】変形例に係るプロジェクターの動作を示すタイミングチャートである。
【図７】変形例に係る画素を説明するための説明図である。
【発明を実施するための形態】
【００１２】
以下、本発明の実施形態について図面を参照して説明する。
＜１．プロジェクターの構成＞
図１は、実施形態に係るプロジェクターの機械的な構成を示すブロック図である。この図に示すようにプロジェクター１は、Ｒ色の光とＢ色の光を時分割で発光する第１光源１０と、Ｇ色の光を発光する第2光源２０と、ライトバルブとして機能する第１液晶パネル１００及び第２液晶パネル２００と、第１液晶パネル１００を透過した光と第２液晶パネル２００を透過した光を合成してスクリーンＳに照射する光学系３０とを備える。
ここで、Ｒ色は、赤の波長範囲（６００ｎｍ〜７００ｎｍ）の光を有しており、Ｂ光は、青の波長範囲（４００ｎｍ〜５００ｎｍ）の光を有しており、Ｇ光は、緑の波長範囲（５００ｎｍ〜６００ｎｍ）の光を有している。
【００１３】
第１光源１０において、Ｒ色光源１１はＲ色（赤色）の光を発光する。フィールドレンズ１２はＲ色光源１１からの光を平行光に変換してダイクロイックプリズム１５に導く。一方、Ｂ色光源１３はＢ色（青色）の光を発光する。フィールドレンズ１４はＢ色光源１３からの光を平行光に変換してダイクロイックプリズム１５に導く。Ｒ色光源１１及びＢ色光源１３は、例えば、ＬＥＤによって構成することができる。ダイクロイックプリズム１５は、Ｒ色の光を透過すると共にＢ色の光を反射して得た光を第1液晶パネル１００に照射する。第1液晶パネル１００は、第１光源１０から照射されるＲ色の光とＢ色の光との切り換えに同期して、Ｒ色の輝度とＢ色の輝度とに応じた透過率となるように光変調が制御される。
【００１４】
また、第２光源２０において、Ｇ色光源２１はＧ色（緑色）の光を発光する。フィールドレンズ２２はＧ色光源２１からの光を平行光に変換して第２液晶パネル２００に照射する。第２液晶パネル２００は、Ｇ色の輝度に応じた透過率となるように光変調が制御される。
【００１５】
光学系３０において、ダイクロイックプリズム３１には、第１液晶パネル１００を透過した光と第２液晶パネル２００を透過した光とが入射し、これらの光を合成した光を投射レンズ３２に出力する。投射レンズ３２は、合成された光をスクリーンＳに投射する。
【００１６】
図２は、実施形態に係るプロジェクターの電気的な構成を示すブロック図である。プロジェクター１には、外部から、Ｒ色の輝度を示す画像データＤｒ、Ｂ色の輝度を示す画像データＤｂ、及びＧ色の輝度を示す画像データＤｇが供給される。画像処理回路は画像データＤｒ,Ｄｂ,Ｄｇにガンマ補正などの画像処理を施して制御回路５０に出力する。
【００１７】
制御回路５０は、プロジェクター１の全体を制御する制御中枢として機能する。具体的には、制御回路５０は、光源駆動回路６０に対して各光源を制御する光源制御信号ＬＣを供給すると共に、第1液晶パネル１００及び第２液晶パネル２００に制御信号と画像信号とを供給する。
【００１８】
第１液晶パネル１００に供給される第１画像信号Ｖ１は、Ｒ色の画像信号ＶｒとＢ色の画像信号Ｖｂとが時分割多重された信号であり、第２液晶パネル２００に供給される第２画像信号Ｖ２はＧ色に対応する信号である。第１液晶パネル１００に形成された走査線駆動回路１２０とデータ線駆動回路１３０は、第１液晶パネル１００を駆動する第１駆動回路として機能し、第２液晶パネル２００に形成された走査線駆動回路１２０とデータ線駆動回路１３０は第２駆動回路として機能する。なお、第１駆動回路及び第２駆動回路は、第１液晶パネル１００及び第２液晶パネル２００の外部に設けてもよい。
【００１９】
光源駆動回路６０は、光源制御信号ＬＣに基づいてＲ色光源１１、Ｂ色光源１３、及びＧ色光源２１を制御する発光制御信号Ｌｒ、Ｌｂ、及びＬｇを生成する。各発光制御信号Ｌｂ、Ｌｒ、及びＬｇがハイレベルの期間、Ｒ色光源１１、Ｂ色光源１３、及びＧ色光源２１の各々が発光する。発光制御信号Ｌｒ、Ｌｂ、及びＬｇに基づいて、Ｒ色光源１１とＢ色光源１３とは時分割で点灯し、Ｇ色光源２１は常時点灯するように制御される。
【００２０】
図３に第１液晶パネル１００の電気的な構成を示す。なお、第２液晶パネル２００も同様に構成されている。第１液晶パネル１００には、複数本の走査線１１２が行方向（Ｘ方向）に延接される一方、複数本のデータ線１１４が図において列方向（Ｙ方向）に延設されている。そして、これらの走査線１１２とデータ線１１４との交差の各々に対応するように画素１１０がそれぞれ設けられている。
本実施形態では、走査線１１２の本数（行数）がｎ本であり、データ線１１４の本数（列数）が、ｍ本ある。そして、走査線駆動回路１２０は各走査線１１２に走査信号Ｙ１〜Ｙｎを供給し、データ線駆動回路１３０はデータ線１１４にデータ信号（画像信号）Ｖｄ１〜Ｖｄｍを供給する。
【００２１】
次に、画素１１０について説明する。図４に示されるように、画素１１０においては、ｎチャネル型のＴＦＴ１１６のソースがデータ線１１４に接続されるとともに、ドレインが画素電極１１８に接続される一方、ゲートが走査線１１２に接続されている。また、画素電極１１８に対向するように対向電極１０８が全画素に対して共通に設けられるとともに、一定の電圧ＬＣcomに維持される。そして、これらの画素電極１１８と対向電極１０８との間に液晶層１０５が挟持されている。このため、画素毎に、画素電極１１８、対向電極１０８および液晶層１０５からなる液晶容量が構成されることになる。
また、液晶容量において電荷をリークしにくくさせるために、蓄積容量１０９が画素毎に形成されている。この蓄積容量１０９の一端は、画素電極１１８に接続される一方、その他端は、全画素にわたって共通接地されている。なお、画素１１０におけるＴＦＴ１１６は、走査線駆動回路１２０やデータ線駆動回路１３０の構成素子と共通の製造プロセスで形成されている。
【００２２】
＜２．プロジェクターの動作＞
次に、プロジェクターの動作を図５を参照しつつ説明する。図５は、プロジェクターの動作を示すタイミングチャートである。以下の説明では、１画面を表示するのに必要な時間を１フレームとする。
【００２３】
図に示すように１フレームは第１期間Ｔ１、第２期間Ｔ２、第３期間Ｔ３、及び第４期間Ｔ４に分けられる。制御回路５０は、第１期間Ｔ１おいてＢ色の画像信号Ｖｂ１を、第２期間Ｔ２おいてＢ色の画像信号Ｖｂ１を、第２期間Ｔ２おいてＲ色の画像信号Ｖｒ１を、第３期間Ｔ３おいてＲ色の画像信号Ｖｒ１を、第１画像信号Ｖ１として第１液晶パネル１００に出力する。画像信号Ｖｂ１は１画面のＢ色の画像であり、画像信号Ｖｒ１は１画面のＲ色の画像である。この例では、第１期間Ｔ１と第２期間Ｔ２において、同一画面の画像信号Ｖｂ１を書き込んでいるが、異なる画面のＢ色の画像信号を書き込んでもよいし、同様に第３期間Ｔ３と第４期間Ｔ４において、異なる画面のＲ色の画像信号を書き込んでもよい。
【００２４】
第１期間Ｔ１（第１書込期間）において、第１液晶パネル１００の走査線駆動回路１２０は、１水平走査期間ごとに２個の走査信号Ｙ１及びＹ２、Ｙ３及びＹ４、…Ｙｎ-１及びＹｎを順次アクティブにする。これによって、水平走査期間ごとに２本の走査線１１２が同時に順次選択され、選択された２本の走査線１１２に対応する画素１１０にデータ線１１４を介して供給されるデータ信号Ｖｄが書き込まれる。例えば、ある列の画素１１０に着目したとき、期間Ｈ１においては、第1行と第２行の画素１１０に対して、同じデータ信号が書き込まれる。また、第２期間Ｔ２においても同様に、水平走査期間ごとに２本の走査線１１２が同時に順次選択され、選択された２本の走査線１１２に対応する画素１１０にデータ信号Ｖｄが書き込まれる。したがって、第１液晶パネル１００に書き込まれたＢ色の画像の垂直解像度は、走査線１１２の総数であるｎ本の半分（ｎ／２本）となる。なお、第３期間Ｔ３（第２書込期間）及び第４期間Ｔ４における走査線１１２の選択は、第１期間Ｔ１及び第２期間Ｔ２と同じである。したがって、第１液晶パネル１００に書き込まれたＲ色の画像の垂直解像度は、走査線１１２の総数であるｎ本の半分（ｎ／２本）となる。
【００２５】
一方、第２液晶パネル２００では、制御回路５０から、１フレームの前半期間（第１期間Ｔ１及び第２期間Ｔ２）と後半期間（第３期間Ｔ３及び第４期間Ｔ４）との各々において、Ｇ色の画像信号Ｖｇ１が第２画像信号Ｖ２として供給される。
【００２６】
第１期間Ｔ１及び第２期間Ｔ２において、第２液晶パネル２００の走査線駆動回路１２０は、１水平走査期間ごとに走査信号Ｙ１、Ｙ２、…Ｙｎを順次アクティブにする。これによって、水平走査期間ごとに１本の走査線１１２が同時に順次選択され、選択された１本の走査線１１２に対応する画素１１０にデータ線１１４を介して供給されるデータ信号が書き込まれる。また、第３期間Ｔ３及び第４期間Ｔ４においても同様である。したがって、第２液晶パネル２００に書き込まれたＧ色の画像の垂直解像度は、走査線１１２の総数であるｎ本となる。
【００２７】
次に、第２期間Ｔ２の開始から時間ΔＴだけ遅れて発光制御信号Ｌｂがハイレベルとなり、第３期間Ｔ３の開始から時間ΔＴだけ遅れて発光制御信号Ｌｂがローレベルとなる。また、第４期間Ｔ４の開始から時間ΔＴだけ遅れて発光制御信号Ｌｒがハイレベルとなり、第１期間Ｔ１の開始から時間ΔＴだけ遅れて発光制御信号Ｌｒがローレベルとなる。発光制御信号Ｌｂがハイレベルの期間はＢ色光源１３が発光し第１光源１０がＢ色の光を出力する第１発光期間として機能する。また、発光制御信号Ｌｒがハイレベルの期間はＲ色光源１１が発光し第１光源１０がＲ色の光を出力する第２発光期間として機能する。
【００２８】
上述したように第１期間Ｔ１では、第１液晶パネル１００にＢ色の画像信号Ｖｂ１が書き込まれる。このため、第１期間Ｔ１の終了時点では、Ｂ色の画像信号Ｖｂ１の書き込みが終了している。Ｂ色光源１３を第１期間Ｔ１の終了時点から時間ΔＴだけ遅らせたのは、液晶の応答特性を考慮したからでる。液晶の透過率は印加電圧によって変化するが、印加電圧が変化しても直ちに透過率が変化するのではなく、印加電圧の変化から遅れて液晶の透過率が変化する。第１期間Ｔ１において、第１液晶パネル１００では、直前のフレームの第４期間Ｔ４に書き込まれた赤色の画像を青色の画像に書き換えることが行われる。このため、第１期間Ｔ１の終了時点では第ｎ行の近傍の画素１１０については、透過率の変化が印加電圧の変化に追従していない。このため、第２期間Ｔ２の開始からＢ色光源１３を発光させると、混色が発生する可能性がある。そこで、本実施形態では時間ΔＴだけ遅らせてＢ色光源１３を発光させたのである。なお、この点はＲ色光源１１も同様である。したがって時間ΔＴは液晶の応答特性を考慮して定めれば良く。例えば、印加電圧を変化させたとき、液晶の透過率が１０％から９０％に変換する時間としてもよい。
また、発光制御信号Ｌｇは常にハイレベルであるから、Ｇ色光源２１は常時発光している。
【００２９】
時分割で画像が形成される第１液晶パネル１００では、１フレーム中にＢ色の画像を書き込むＢ色書込期間と、Ｒ色の画像を書き込むＲ色書込期間と、Ｂ色光源１３を発光させるＢ色表示期間と、Ｒ色光源１１を発光させるＲ色表示期間とを排他的に確保する必要がある。第１液晶パネル１００の垂直解像度は第２液晶パネル２００と比較して低いので、プロジェクター１によれば、Ｂ色書込期間及びＲ色書込期間を短くでき、それだけＢ色表示期間及びＲ色表示期間を長くすることができる。これにより、プロジェクター１は、混色を抑制しつつ、高輝度の画像を表示することができる。
【００３０】
また、時分割で駆動する第１液晶パネル１００には、Ｂ色の画像とＲ色の画像と書き込んだ。このため、Ｂ色の画像とＲ色の画像の垂直解像度は、Ｇ色の画像と比較して低い。しかしながら、人の視感度は、Ｇ色と比較してＢ色及びＲ色は低い。この結果、Ｂ色及びＲ色の画像の解像度が低くても、感覚的な解像感への影響は低く抑えられる。
また、Ｒ色光源１１、Ｂ色光源１３、及びＧ色光源２１をＬＥＤで構成する場合、Ｇ色の光量は、Ｒ色及びＢ色と比較して低いが、Ｇ色光源２１は常時発光させることができるので、Ｇ色の画像においても十分な輝度を得ることができる。
【００３１】
＜３．変形例＞
本発明は上述した実施形態に限定されるものではなく、例えば、以下の変形が可能である。
（１）上述した実施形態では、第１液晶パネル１００において２本の走査線１１２を同時に選択して、２行の画像に同じデータを書き込んだが、本発明はこれに限定されるものではなく、ｋ（ｋは２以上の自然数）本の走査線１１２を同時に選択して、ｋ行の画素１１０に同じデータ信号を書き込んでもよい。
【００３２】
例えば、４本の走査線１１２を同時に選択する場合、プロジェクター１のタイミングチャートは図６に示すものとなる。この場合、１フレームは第１乃至第８期間Ｔ１乃至Ｔ８に分けられる。第１期間Ｔ１において、第１液晶パネル１００の走査線駆動回路１２０は、１水平走査期間ごとに４個の走査信号Ｙ１乃至Ｙ４、Ｙ５乃至Ｙ８、…Ｙｎ-4乃至Ｙｎを順次アクティブにする。これによって、水平走査期間ごとに４本の走査線１１２が同時に順次選択され、選択された４本の走査線１１２に対応する画素１１０にデータ線１１４を介して供給されるデータ信号Ｖｄが書き込まれる。例えば、ある列の画素１１０に着目したとき、期間Ｈ１においては、第1行乃至第４行の画素１１０に対して、同じデータ信号が書き込まれる。したがって、第１液晶パネル１００に書き込まれたＢ色の画像の垂直解像度は、走査線１１２の総数であるｎ本の１/４となる。
【００３３】
一方、発光制御信号Ｌｂは、第２期間Ｔ２の開始から時間ΔＴだけ遅れてハイレベルとなり、第５期間Ｔ５の開始から時間ΔＴだけ遅れてローレベルとなる。したがって、１フレームの３/８の期間にＢ色光源１３を発光させることができる。この点については、Ｒ色についても同様である。この結果、Ｂ色及びＲ色の輝度をより高くすることができる。
【００３４】
（２）上述した実施形態及び変形例では、第１液晶パネル１００の垂直解像度を第２液晶パネル２００の垂直解像度より下げるために、複数の走査線１１２を同時に選択したが、本発明はこれに限定されるものではなく、第１液晶パネル１００の画素１１０の大きさそのものを第２液晶パネル２００の画素１１０に比較して大きくしてもよい。これにより、第１液晶パネル１００の画素１１０の開口部を大きくすることができ、明るい表示を行うことができる。
例えば、第２液晶パネル２００の画素１１０が、図７（Ａ）に示すものであったとする。この場合、第１液晶パネル１００の画素１１０を縦に２倍伸長にして図７（Ｂ）に示すものとしてもよい。あるいは、第１液晶パネル１００の画素１１０を縦横に２倍伸長にして図７（Ｃ）に示すものとしてもよい。すなわち、図７（Ａ）に示す第２液晶パネル２００の走査線１１２の本数がｎ本であるのに対し、図７（Ｂ）及び（Ｃ）に示す第１液晶パネル１００の走査線１１２の本数はｎ／２本となる。第１液晶パネル１００の走査線１１２の本数は第２液晶パネル２００の走査線１１２の本数に比較して少ない。第１液晶パネル１００の走査線１１２の本数をｎ本とする場合と比較して、第１液晶パネル１００の画素１１０の開口部を大きくすることができ、明るい表示を行うことができる。
なお、第１液晶パネル１００の垂直解像度を第２液晶パネル２００の垂直解像度よりも低くするという観点からは、第１液晶パネル１００の走査線１１２の本数が第２液晶パネル２００の走査線１１２の本数よりも少なければ良い。
【００３５】
（３）上述した実施形態及び変形例では、第１光源１０にＲ色光源１１とＢ色光源１３とを設け、これらを時分割で発光させたが本発明はこれに限定されるものではなく、Ｒ色の光とＢ色の光とを時分割で発光できるのであれば、どのように構成してもよい。例えば、ハロゲンランプと円形のフィルタを組み合わせて構成してもよい。この場合、円形フィルタはＲ色の光を透過するＲ色フィルタとＢ色の光を透過するＢ色フィルタで構成され、この円形のフィルタをモーターで回転させ、ハロゲンランプの光を回転するフィルタを介して取り出してもよい。
【００３６】
（４）上述した実施形態では、第１期間Ｔ１と第２期間Ｔ２において画像信号Ｖｂ１を第１液晶パネル１００に書き込み、第３期間Ｔ３と第４期間Ｔ４において画像信号Ｖｒ１を第１液晶パネル１００に書き込んだが、第２期間Ｔ２において書き込みを実行せず第１期間Ｔ１に書き込まれた画像信号Ｖｂ１を保持し、第４期間Ｔ４において書き込みを実行せず第３期間Ｔ３に書き込まれた画像信号Ｖｒ１を保持してもよい。
【００３７】
（５）上述した実施形態及び変形例において、時間ΔＴはゼロであってもよい。この場合には、Ｒ色の画像信号Ｖｒの書き込みが終了すると、Ｒ色光源１１が直ちに発光し、Ｂ色の画像信号Ｖｂの書き込みが終了すると、Ｂ色光源１３が直ちに発光する。
【符号の説明】
【００３８】
１……プロジェクター、１０……第１光源、１１……Ｒ色光源、１３……Ｂ色光源、２０……第２光源、２１……Ｇ色光源、３０……光学系、５０……制御回路、１１０……画素、１１２……走査線、１２０……走査線駆動回路。
【図１】
2013041015.tif 000003
【図２】
2013041015.tif 000004
【図３】
2013041015.tif 000005
【図４】
2013041015.tif 000006
【図５】
2013041015.tif 000007
【図６】
2013041015.tif 000008
【図７】
2013041015.tif 000009